【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
被検体の略同一位置における断層の情報を示す複数の断層データを取得する取得部と、
前記複数の断層データを用いてモーションコントラストデータを生成するデータ生成部と、
モーションコントラスト画像を生成する際の深さ方向の範囲を指定する指定部と、
前記モーションコントラストデータの前記範囲のデータに基づいて、モーションコントラスト画像を生成する画像生成部と、
前記モーションコントラスト画像と、前記モーションコントラスト画像上に静止画像を撮影する撮影領域とを、表示部に表示する制御部と、
を備え、
前記指定部は、前記表示された撮影領域を変更することができ、
前記モーションコントラスト画像を動画像として生成する場合に前記モーションコントラストデータの生成に用いる前記断層データのデータ量が、前記モーションコントラスト画像を静止画像として生成する場合に前記モーションコントラストデータの生成に用いる前記断層データのデータ量より少ない、画像処理装置。
【請求項２】
前記動画像を生成する場合に前記モーションコントラストデータの生成のために前記取得部が取得する前記断層データのデータ量が、前記静止画像を生成する場合に前記モーションコントラストデータの生成のために取得する前記断層データのデータ量より少ない、請求項１に記載の画像処理装置。
【請求項３】
前記取得部は、前記動画像を生成する場合に前記モーションコントラストデータの生成のために前記断層データを取得する際の、Ａスキャン回数、Ｂスキャンセット数、前記略同一位置における走査の繰り返し数、干渉信号のサンプリング数、及び干渉信号のサンプリング範囲のうちの少なくとも１つの値を、前記静止画像を生成する場合に前記モーションコントラストデータの生成のために前記断層データを取得する際の前記値に対応する値よりも小さくする、請求項２に記載の画像処理装置。
【請求項４】
前記画像生成部は、前記動画像を生成する場合に前記モーションコントラストデータの生成のために処理する前記断層データとして、前記取得部が前記モーションコントラストデータの生成のために取得した断層データの一部を用いる、請求項１乃至３のいずれか一項に記載の画像処理装置。
【請求項５】
前記画像生成部は、前記動画像を生成する場合に、前記取得部が前記モーションコントラストデータの生成のために取得した断層データのうち、Ａスキャン回数、Ｂスキャンセット数、前記略同一位置における走査の繰り返し数、干渉信号のサンプリング数、及び干渉信号のサンプリング範囲のうちの少なくとも１つの値を減らした値に基づく断層データを用いて、前記モーションコントラストデータを生成する、請求項４に記載の画像処理装置。
【請求項６】
前記画像生成部は、前記動画像を生成する場合に、前記取得部が取得した複数の前記断層データから間引いたデータを用いて前記モーションコントラストデータを生成する、請求項４又は５に記載の画像処理装置。
【請求項７】
前記画像生成部は、前記動画像を生成する場合に、前記モーションコントラストデータを生成するために前記断層データを処理する時間が、前記モーションコントラストデータの生成のために断層データを取得する時間よりも短くなるように、前記モーションコントラストデータの生成に用いる断層データの量を減らす、請求項４乃至６のいずれか一項に記載の画像処理装置。
【請求項８】
前記画像生成部は、前記動画像を生成する場合に、複数の前記モーションコントラスト画像を平均したモーションコントラスト画像を、前記動画像の１枚の前記モーションコントラスト画像として生成する、請求項１乃至７のいずれか一項に記載の画像処理装置。
【請求項９】
前記モーションコントラスト画像をプレビュー画像として生成する場合に前記モーションコントラストデータの生成に用いる前記断層データのデータ量が、前記モーションコントラスト画像を前記動画像として生成する場合に前記モーションコントラストデータの生成に用いる前記断層データのデータ量より少ない、請求項１乃至８のいずれか一項に記載の画像処理装置。
【請求項１０】
測定光を用いて被検体の略同一位置を複数回撮像し、該略同一位置の複数の断層の情報を取得する撮像光学系と、
前記複数の断層の情報を示す複数の断層データを取得する取得部と、
前記複数の断層データを用いてモーションコントラストデータを生成するデータ生成部と、
を備え、
前記モーションコントラスト画像を動画像として生成する場合に前記モーションコントラストデータの生成に用いる前記断層データのデータ量が、前記モーションコントラスト画像を静止画像として生成する場合に前記モーションコントラストデータの生成に用いる前記断層データのデータ量より少ない、眼科撮影装置。
【請求項１１】
被検体の略同一位置における断層の情報を示す複数の断層データを取得することと、
モーションコントラスト画像を生成する際の深さ方向の範囲を指定することと、
前記複数の断層データを用いてモーションコントラストデータを生成することと、
前記モーションコントラストデータの前記範囲のデータに基づいて、モーションコントラスト画像を生成することと、
前記モーションコントラスト画像と、前記モーションコントラスト画像上に静止画像を撮影する撮影領域とを、表示部に表示することと、
を含み、
前記表示された撮影領域を変更することができ、
前記モーションコントラスト画像を動画像として生成する場合に前記モーションコントラストデータの生成に用いる前記断層データのデータ量が、前記モーションコントラスト画像を静止画像として生成する場合に前記モーションコントラストデータの生成に用いる前記断層データのデータ量より少ない、画像処理方法。
【請求項１２】
コンピュータによって実行されると、該コンピュータに請求項１１に記載の画像処理方法の各工程を実行させるプログラム。
【手続補正２】
【補正対象書類名】明細書
【補正対象項目名】００１０
【補正方法】変更
【補正の内容】
【００１０】
本発明の一実施態様に係る画像処理装置は、被検体の略同一位置における断層の情報を示す複数の断層データを取得する取得部と、前記複数の断層データを用いてモーションコントラストデータを生成するデータ生成部と、モーションコントラスト画像を生成する際の深さ方向の範囲を指定する指定部と、前記モーションコントラストデータの前記範囲のデータに基づいて、モーションコントラスト画像を生成する画像生成部と、前記モーションコントラスト画像と、前記モーションコントラスト画像上に静止画像を撮影する撮影領域とを、表示部に表示する制御部とを備え、前記指定部は、前記表示された撮影領域を変更することができ、前記モーションコントラスト画像を動画像として生成する場合に前記モーションコントラストデータの生成に用いる前記断層データのデータ量が、前記モーションコントラスト画像を静止画像として生成する場合に前記モーションコントラストデータの生成に用いる前記断層データのデータ量より少ない。
【手続補正３】
【補正対象書類名】明細書
【補正対象項目名】００１１
【補正方法】変更
【補正の内容】
【００１１】
本発明の他の実施態様に係る眼科撮影装置は、測定光を用いて被検体の略同一位置を複数回撮像し、該略同一位置の複数の断層の情報を取得する撮像光学系と、前記複数の断層の情報を示す複数の断層データを取得する取得部と、前記複数の断層データを用いてモーションコントラストデータを生成するデータ生成部とを備え、前記モーションコントラスト画像を動画像として生成する場合に前記モーションコントラストデータの生成に用いる前記断層データのデータ量が、前記モーションコントラスト画像を静止画像として生成する場合に前記モーションコントラストデータの生成に用いる前記断層データのデータ量より少ない。
【手続補正４】
【補正対象書類名】明細書
【補正対象項目名】００１２
【補正方法】変更
【補正の内容】
【００１２】
本発明の他の実施態様に係る画像処理方法は、被検体の略同一位置における断層の情報を示す複数の断層データを取得することと、モーションコントラスト画像を生成する際の深さ方向の範囲を指定することと、前記複数の断層データを用いてモーションコントラストデータを生成することと、前記モーションコントラストデータの前記範囲のデータに基づいて、モーションコントラスト画像を生成することと、前記モーションコントラスト画像と、前記モーションコントラスト画像上に静止画像を撮影する撮影領域とを、表示部に表示することとを含み、前記表示された撮影領域を変更することができ、前記モーションコントラスト画像を動画像として生成する場合に前記モーションコントラストデータの生成に用いる前記断層データのデータ量が、前記モーションコントラスト画像を静止画像として生成する場合に前記モーションコントラストデータの生成に用いる前記断層データのデータ量より少ない。